(57)【特許請求の範囲】
【請求項１】
片手で持つことができる部分を有し、振動発生機構を本体の内部に配置し、その振動発生機構にて発生した振動を貯溜部の歯科用練和物に加えてその流し込みを促進可能とする装置であって、振動発生機構にて発生した振動を、練和物の貯溜部を含む振動伝達手段により伝達し、同貯溜部の流出口から流出する練和物を目的箇所へ供給するための柔軟性のチップを振動伝達手段の末端部に設けるとともに前記振動伝達手段により前記チップに伝達可能とした構成を有することを特徴とする歯科用練和物の流し込み装置。
【請求項２】
片手で持つことができる本体部分を有し、振動発生機構を本体とは別に本体の外部に配置し、その本体外部における振動発生機構にて発生した振動を貯溜部の歯科用練和物に加えてその流し込みを促進可能とする装置であって、振動発生機構にて発生した振動を、練和物の貯溜部を含む振動伝達手段により伝達し、同貯溜部の流出口から流出する練和物を目的箇所へ供給するための柔軟性のチップを振動伝達手段の末端部に設けるとともに前記振動伝達手段により前記チップに伝達可能とした構成を有するたことを特徴とする歯科用練和物の流し込み装置。
【請求項３】
振動伝達手段は、本体への取り付け位置を調節可能にする一様な太さの本体外周に取り付けたスライド手段を有している請求項２記載の歯科用練和物の流し込み装置。
【請求項４】
振動伝達手段は、本体への取り付け位置にて前後方向へ回転可能に軸支した支軸を有している請求項３記載の歯科用練和物の流し込み装置。
【請求項５】
流出口は、変形力を加えると開口を拡大し、変形力を加えないときには開口を縮小するか又は閉じている構造を有する請求項１ないし４記載の歯科用練和物の流し込み装置。
【請求項６】
流出口は、弾性変形可能な貯溜部に形成した開閉可能なスリットである請求項１ないし５記載の歯科用練和物の流し込み装置。
【請求項７】
流出口は、弾性変形可能な貯溜部に形成した開閉可能な切り込みを有する請求項１ないし６記載の歯科用練和物の流し込み装置。
【発明の詳細な説明】
【０００１】
【発明の属する技術分野】
本発明は片手で持つことができる部分を有し、振動発生機構にて発生した振動を貯溜部の歯科用練和物に加えてその流し込みを促進可能とした装置に関するものである。
【０００２】
【従来の技術】
歯科技工において、印象内のクラウンやインレー等の修復部分或はワックスパターンの咬合面及び内面などに石膏、埋没材等の流動体（練和物）を流し込む作業は重要であり、義歯等結果物の品質を大きく左右する。例えばワックスパターンの内面に上記のような流動体を流し込む作業では、従来、先細の筆や金属製インスツルメント、或は細いワックスロッド等を用い、それぞれの先端で埋没材を少量すくい取っては流し込む動作を何度も繰り返すこととなる。しかし一度にすくい取れる量が少なく、また流し込む際に気泡を巻き込んでしまうという問題があった。
【０００３】
これに対して、実開平２−１３１４１７号、歯科用バイブレータの考案が提案されている。同考案のものは、ケーシングに、基部にて支持された振動体の先をケーシング先端から前方に突出させ、スイッチング操作によって振動体の中間部を回転中のピニオンに係合させることで、振動体に振動を発生させる構成を有する。この構成により、振動体先端の振動部が流動状の石膏に接触すると、石膏に振動を与え、歯型に隈なく充填される効果があるものと説明されている。
【０００４】
しかしながら、上記考案における振動体は、スイッチ機構の一部を兼ねるために導電性材料である必要がある。なお明細書中に、振動体は直径１ｍｍ前後の丸棒状ステンレス材と記載され、他の例は記載されていない。
【０００５】
他方印象採得には非常に精密な表面再現性が求められるという事情がある。印象材には寒天、アルジネート、ラバー系の材料が一般に用いられるが、これらは僅かな外力によっても変形や損傷を起こしやすい材料である。従って前記考案のバイブレータを用いた場合、振動する丸棒状ステンレス材製の振動体の先端部で印象面を引っ掻いたり、こすったりすると、復元性の強いラバー系の印象材でも変形や損傷を起こすであろうことは容易に推測される。
【０００６】
前記考案において、振動体を印象面等に接触させる使用法は説明されていないけれども、石膏内部に埋まった状態で振動体の先端部を印象面に触れさせずにできるだけ深く位置させることは、歯型が細くなればなるほど困難であり、実際には振動体が印象面に接触すると考えなければならない。インレー形成のような、歯型の中に多数の凹凸が存在する印象面においてはなおさらのことである。このため、前記考案に記載された、丸棒状ステンレス材製の振動体を使用しても印象面の変形、損傷の原因となり易いため好結果を期待することはできない。
【０００７】
ワックスパターンでは、外力による変形、損傷が印象材以上に起こり易いために、埋没作業についてよりデリケートな操作が必要とされる。これを前記考案のバイブレータで行なう場合、ステンレス材製振動体の強力過ぎる振動が問題となる。この振動のために、振動体がワックスパターン面に接触すると、その部分に変形、損傷を生じることは自明のことといって良い。故に高いリスクを冒すことになるので、前記考案のバイブレータをワックスパターンの埋没作業に用いることは事実上できないと考えられる。
【０００８】
また、前記考案におけるステンレス材製振動体によりすくい取れる、石膏の量は前述の従来法による場合と形態的な差がない以上大同小異である。故に、小さな歯型でも１度で満たすことはまず望めず、練和器から何度か石膏をすくい取っては歯型に流し込み、１歯分を満たす方法によらざるを得ないので、気泡を巻き込む機会も変わらないことになる。
【０００９】
しかも気泡の除去についても前記考案のバイブレータの場合には問題がある。このバイブレータの考案では、被振動物（つまり石膏など。）に直接かつ隈なく振動を付与して気泡を排除するものとされているが、石膏に含まれている気泡はともかく、歯型内面、特に角部に付着している気泡を歯型から引き離して浮き上がらせることは困難であるからである。
【００１０】
本件発明者の経験によるところでは、石膏を強く振動させただけでは気泡を浮き上がらせるために大きな効果は期待できず、何かの先端を気泡に触れさせて引き離さなければならない。気泡に触れさせるものとして前記考案のバイブレータが適さないのは言うまでもないことであろう。
【００１１】
臨床において、印象歯型内面は凹凸の多い複雑な形状を持ち、また印象材が薄くなっている部分も存在する。特に印象材として、濡れの良くないラバー系の印象材を用いた場合には、気泡を発生せずに石膏を流し込む作業自体、大変難しいものとなる。このため、従来は、先の細いものを石膏内に差し入れて、気泡の発生しやすい個所を軽くなぞったり軽く突いたりすることにより歯型内面から気泡を引き離して浮かび上がらせる必要があったのである。
【００１２】
【発明が解決しようとする課題】
本発明は前記の実情に鑑みてなされたものであり、その課題は、石膏や埋没材等の流動性の歯科用練和物を目的とする箇所に少量ずつ、十分満たされるまで流し込むことを可能とし、かつまた極力、気泡を巻き込むことなく練和物を目的箇所に流し込めるようにすることである。
【００１３】
また本発明の他の課題は、練和物を歯型に流し込んだときに巻き込まれて歯型面に付着した状態で残存している気泡を歯型面の変形や損傷を来すことなく除去することである。
【００１４】
【課題を解決するための手段】
前記課題を解決するため本発明は、歯科用練和物の流し込み装置について、振動発生機構にて発生した振動を、練和物の貯溜部を含む振動伝達手段により伝達し、同貯溜部の流出口から流出した練和物を目的箇所へ供給するための柔軟性のチップを振動伝達手段の末端部に設ける、という手段を講じたものである。
【００１５】
振動発生機構は、本体の内部に具備された構造とすることができる。また本体の外部に配置される振動発生機構を具備する構成によっても前記課題を解決することができ、この場合、振動発生機構との接触部を有する振動伝達手段によって、柔軟性チップに振動を伝達する。
【００１６】
【発明の実施の形態】
本発明に係る歯科用練和物の流し込み装置は、振動発生機構を用いて必要な振動を発生させ、その振動によって歯型等に充填する歯科用練和物の流動を促進可能とする器具である。本発明において歯科用練和物とは、歯科用石膏類、埋没材類及び耐火模型材類を総称するものである。
【００１７】
本発明に係る装置は、片方の手に例えば鉛筆を握るように持って作業をすることが可能な大きさ及び形状から成る部分を有する。本発明において利用し得る振動発生機構としては内蔵式と非内蔵式とに大別される。いずれの方式でも、振動発生機構と柔軟性のチップとは練和物の貯溜部を含む振動伝達手段によって連絡され、振動発生機構における振動が貯溜部内の練和物を振動させる。他方、特に本体と呼ぶ部分を有しないで、練和物の貯留部の容器が振動伝達手段の主要な部分となる場合にも、振動発生機構との接触によって振動を取り入れ、貯溜部等の練和物を振動させることとなる。
【００１８】
非内蔵式の場合、歯科技工において使用されている卓上型バイブレータを振動発生機構に用いることができる。この場合、振動伝達手段は、卓上型バイブレータの振動を効果的に、若しくは効率良く本体へ伝える部材を含む。この部材としては、主として振動を伝達し易くかつ取り扱い易い軸状部材が好適である。軸状部材は細長い棒状のものや、中空の管状物を指す。軸状部材は、前記練和物の貯溜部の容器が振動伝達手段の主要部となる場合にも適用される。
【００１９】
軸状部材は、硬質材料ほど振動伝達効率が良く、軟質材料ほど上記効率は低下する。また直線状か曲線状かによっても振動伝達効率が変化する。本発明では柔軟性のない硬質材を用いる場合と、適度の柔軟性を有すると同時に振動伝達効率も良い材料を用いる場合を想定している。硬質材を用いる場合には本体と振動伝達手段とを調節可能な方式で接続するのが望ましいのに対して、適度の柔軟材を用いる場合には固定接続方式としても操作上の問題は殆どない。
【００２０】
振動伝達手段における伝達の仕方を変えるために、振動発生機構から末端のチップまでの距離を調節することができる。また、振動伝達手段に左右の動きを与えるための調節手段を追加することができ、さらに、振動伝達手段に前後の動きを与えるための調節手段を追加することができる。また球状、塊状等の、軸状部材軸部よりも大形の部分を振動発生機構と接触する軸状部材の先端に設けると、操作性を向上させることができる。
【００２１】
練和物は貯溜部に設けられている流出口から流出させる。流出口は一定の開口面積で常に開口しているものであっても良いし、操作しないときには閉じていて操作によって開く、開口面積可変式のものであっても良い。開閉可能な流出口として、貯溜部に変形力を加えると開口を拡大し、変形力を加えないときは開口を縮小するスリット状の構造を具備することができる。また切り込みと開口とを組み合わせた構造としても良い。
【００２２】
【実施例】
以下、図示の実施例を参照して本発明をより詳細に説明する。図１及び図２には、内蔵式の振動発生機構１１を有する本体１０と、非内蔵式の振動発生機構２４とともに使用する本体２０を有する各例及び貯溜部の容器が振動伝達手段の主要部分を構成している例が並記されている。また、練和物２３の貯溜部３０には常に開口した一定の流出口３１と、練和物が自然には流れ出ない程度に開口しているがさらに開口度合を変えられるスリット状の流出口３２と、開口可能な切り込み状の流出口３３及び一定の流出口３１に切り込み状の流出口３３を組み合わせた例が併記されている。
【００２３】
内蔵式の振動発生機構１１を有する実施例１について説明すると、振動発生機構１１の駆動源１２は中空な本体１０の先端部近傍に配置され、その回転軸に偏心重り１３が具備される。図示した実施例１において、駆動源１２には本発明に特に適した超小型モーターを使用し、スイッチ１４の操作により電源１５からの電力をオンオフする。実施例の場合、全機構を本体内に組み込んでいる。しかし電源１５が電池である必要はなく、外部電源からコードで引いても良い。
【００２４】
図示の例は、超小型モーターを駆動源１２とする偏心重り１３の振動を、本体１０に極力吸収させずに、貯溜部３０内の練和物に伝達させる構成を有する。この構成では、中空の振動部１６に駆動源のモーターを収納して固定する。本体１０は硬質であり、振動発生機構１１で生じた振動を受けて、大きいぶれを起こす（振動を増幅する）。
【００２５】
振動の増幅度合はモーターの位置の移動によって調整することができる。例えばモーターを本体中央部に近付ければ近付けるほど振動部１６の振幅は小さくなり、本体中央部から遠ざけて先に配置するほど振動部１６の振幅は大きくなる。よって、モーター位置の適切な選択により、モーター側で発生した振動を本体１０に吸収させることなく、振幅を調整の上最適に設定して振動伝達手段１７に伝えることができる。
【００２６】
振動伝達手段１７は振動発生機構１１にて発生した振動を柔軟性のチップ３５へ伝達するための手段、構成である。実施例１の場合、本体先端部１８と、その接続相手１９、接続相手１９が一端に形成された接続部材２１とそれの上部に一体に設けられた前記の貯溜部３０とから成る。接続部材２１の他端部は柔軟性のチップとの接続相手部２２となっている。
【００２７】
貯溜部３０は、例えば埋没材等の充填容器と同等の大きさ及び形状を有するカップ状乃至コーン状の部材が使用可能であり、それにより数歯を十分満たすだけの量の石膏等の練和物２３を貯溜することができる。
【００２８】
非内蔵式の振動発生機構２４を有する実施例２について説明すると、振動発生機構２４には歯科技工用の卓上型バイブレータ２９の振動盤が使用可能である。図示実施例２において、本体２０は内蔵式と同様に握り持って作業可能な棒状のものとされており、一様な太さの本体外周に取り付けたスライド手段２５に振動伝達手段１７の一部としての軸状部材２６が上端部にて軸支されている。
【００２９】
スライド手段２５を本体２０の前後方向に移動させることによって、振動発生機構２４と練和物の貯溜部３０との距離を遠近調節し、振動の強弱を調節する。スライド手段２５の代わりに、本体２０の長手方向に複数の穴を形成し、そこに軸状部材の上端を嵌める位置を選択的に変えることによっても上記の距離を遠近調節することができる（図示せず。）。
【００３０】
図中、符号２７は振動伝達手段１７をスライダ２５に軸支した支軸であり、振動伝達手段１７は支軸２７を中心に前後方向へ回転可能となる。支軸２７部分では締め付け可能な構造となっていても良い。２８は振動伝達手段１７の一部である軸状部材２６の下端に滑り止めとして設けた塊状物であり、振動発生機構２４へどのように接触させても、向きによらずほぼ同様の振動を拾うことができる。例示の軸状部材２６は中間に取り外し可能な接続部を有する。
【００３１】
スライド手段２５′として、本体２０′に孔をあけ、そこに軸状部材２６′を抜き差し可能に差し込み、止軸２７′により任意の位置に止める方法を取ることもできる。これは実施例２の変形例１として示した、図１の右から２番目の本体２０′を持つものがそれである。
【００３２】
棒状の本体を有する実施例２の変形例２として、軸状部材２６″を振動発生機構２４の側に設ける方式も示してある。図１の右端の本体２０″がそれである。軸状部材２６″には接触させ易いように腕状の部分を設けても良い。
【００３３】
実施例２及びその変形例１、２のものにも本体２０の先端部に練和物の貯溜部３０との接続手段が設けられているのは実施例１の場合と同様である。故に詳細な説明は省略する。実施例２における振動伝達手段１７は振動発生機構２４、軸状部材２６、本体２０、その先端部１８とその接続相手１９、及び貯溜部３０を有する接続部材２１とから成る。
【００３４】
非内蔵式のもう一つの例として変形例３について説明すると、これは実質的に貯溜部３０のみから成るものである。練和物２３の貯溜部３０は容器がそのまま振動伝達手段１７の一部となり、振動発生機構２４の振動はそこから直かに、又は振動伝達のための軸状部材２６″を経て、貯溜部３０に伝達される。
【００３５】
貯溜部３０は一定の開口面積を有する流出口３１を持っていても良いし、また開口面積が可変式のものであっても良いことは既に説明したとおりであるが、後者の場合、機械構造で開閉する方式では複雑化するため、本実施例では、貯溜部３０である容器を弾性変形可能な合成樹脂材によって形成し、貯溜部３０の下部にスリット状の流出口３２と、切り込み状の流出口３３とを設けることによって開閉可能としている。貯溜部３０として適当な材料は良好な復原力を得るために適度の硬さと柔軟性を併有する合成樹脂或いはゴム等である。
【００３６】
流出口３１、３２、３３は貯溜部３０の底部又はその近くに設ける。貯溜部３０は概してコーン形状を具備することが望ましく、底部が広いものよりも狭い、よりとがった形状の方が微妙な流量調節を行い易い。図３、図４参照。流量調節乃至開閉操作は、常開の流出口３１は指で開閉し、スリット状と切り込み状の流出口３２、３３は開口を押し開くように貯溜部３０に変形力を加えることによって行う。故に操作部３４は貯溜部３０の上部となる。
【００３７】
なお切り込み状の流出口３３は操作部３４を押して開かない限り、振動が伝わっていても閉じた状態を保つ。故に練和物２３に振動のみを加えて脱泡操作を行うことが容易にでき、流量の可変調節ができることと相俟って、練和物の流し込み作業がより迅速に行えるようになった。
【００３８】
上記貯溜部３０から流れ出した練和物２３に振動を加えて目的箇所へ供給可能とするためのチップ３５は、振動伝達系統の最も末端に位置する。チップ３５は振動伝達系統を伝って来る練和物２３をさらに下方へ伝わせるものである。構造的には、チップ３５は、振動発生機構１１、２４で発生し伝達された振動を適度に緩衝する機能と、歯型等の目的箇所に接触したときにそこを変形または損傷させないために柔軟性を有する、比較的細長い形態のものである必要がある。
【００３９】
図示の実施例では、貯溜部３０の末端の接続相手部２２に対して着脱可能に嵌め合わされるチップ３５が用意されている。チップ３５…は数種類のものを用意し、最適のチップを交換して使用可能とする。チップ３５に要求される重要な性質は前記のとおり、緩衝性と柔軟性である。緩衝作用のためには筆の穂先状の毛先が最も良い。しかし毛先が長過ぎるとチップ全体の振動も弱くなり、毛と毛の間に残留する空気も多くなるので注意を要する。
【００４０】
次にこのような本発明の歯科用練和物の流し込み装置の作用を使用方法とともに説明する。
【００４１】
はじめに、例えば、練和された埋没材等の歯科用練和物２３を練和器からスパチュラ等を用いてすくい取り、貯溜部３０に貯溜する。次いで本体１０、２０、２０′、２０″又は貯溜部３０を持つ。次いで実施例１の場合はスイッチ１４を押し、振動発生機構１１を作動させると同時にチップ３５の先端を上記埋没材等の中に漬けると振動伝達手段１７から伝えられる振動を受けて貯溜部３０内の練和物２３が振動し、流出口３１〜３３を開状態にすると、先端に毛先３６のあるものでもそこから空気を抜くことができる。実施例２の場合にはバイブレータ２９のスイッチ３７を入れ、振動発生機構２４に振動伝達手段１７の端部を当接させ、振動を貯溜部３０へ伝達した状態として上記と同様に作業する。
【００４２】
練和物１９の流量を可変調節可能とした流出口３２、３３を有する貯溜部３０を使用する場合、操作部３４を押してスリットや切り込みを開き、流出量の調整操作を行なう。この場合、流出口３２、３３は開閉するだけでなく開口面積を加減することが容易に行なえる。また流出を止めるには、操作部３４から指を放し弾性によって復原させることで、スリット状の流出口３２や切り込み状の流出口３３を閉じることができる。練和物２３の流出量は、振動発生機構１１、２４から貯溜部３０へ伝達される振動の強弱を加減することによっても調節することができる。
【００４３】
図５は本発明の実施例２とその各変形例における使用例を示す。図５（ａ）実施例２は本体軸方向のスライド手段２５を有し、軸状部材２６の下端の塊状物２８を振動発生機構２４に当てて、拾い上げた振動を振動伝達手段１７により、先端のチップ３５へ伝えている。図５（ｂ）の変形例１もほぼ同様であるが、スライド手段２５′により本体上の位置だけではなくて軸状部材２６′の接続位置を変える点で相違する。図５（ｃ）の変形例２は本体２０″ではなく、振動発生機構２４に立ち上げた軸状部材２６″に本体２０″を当てて振動を受ける使用状態を示している。図５（ｄ）の変形例３は、棒状の本体をも有しない。この例では振動発生機構２４に立ち上げた軸状部材２６″に貯溜部３０の容器外面を直接当てて振動を加える。実施例２とその変形例の各例においても練和物２３の流出量を調整する点は前記実施例１について説明したのと同様である。
【００４４】
本装置により例えば鋳造冠のワックスパターン内面に埋没材を流し込むには、図６に示すように、チップ先端をパターン内面の側面には接触させないようにして、振動停止のまま最深部のみに触れさせる。ここで振動を加えると練和物２３である埋没材はチップ先端まで練続して流れ下って、ワックスパターン４０をその最深部から満たして行く、と同時にワックスパターン４０の内面の気泡４１を生じやすい箇所を軽くなぞる操作をする（図７（ａ）参照）。上記操作を埋没材（２３）がワックスパターン４０の気泡４１を生じやすいマージン部４２からあふれだすまで行ない（図７（ｂ））、その後チップ先端を埋没材（２３）から引き抜く。
【００４５】
上記の操作を繰り返すことによりワックスパターン４０が複数の場合でも、早く、容易かつ気泡を混入させずに埋没材（２３）をワックスパターン内に充填することができる。またワックスパターンの咬合面のように凹凸の大きい箇所４３についても（図８）、チップ３５の先端を咬合面に接触させてから振動を加え、軽く延ばすように周囲に拡げて行くことにより、気泡を作らずに埋没材（２３）を流し込むことができる。
【００４６】
印象歯型内面への石膏の流し込み操作も、前記鋳造冠パターン内面への埋没材の流し込み操作と基本的に同様で良い。練和物２３である石膏は、トレー４４中の印象材４５によって形成されている歯型の内面に充填され、その際にチップ３５を振動停止のまま歯型の最深部まで位置させてから振動させることで、石膏を確実に誘導することができる。
【００４７】
万が一残存してしまった気泡４１に対しては、チップ３５の柔軟な先端で内面を軽くなぞり、振動するチップ先端を直接気泡４１に接触させ、浮き出させることができるのも前記と同様である。実施例１について、本発明による練和物２３の流し込み操作では、従来行なわれていたテーブル上のバイブレーターの振動を使用しなくても流し込みが可能である。また埋没材や石膏等の練和物２３は貯溜部３０内で振動を受けるために硬化が遅延されることとなり、作業時間に少々の余裕を生む効果もある。
【００４８】
【発明の効果】
本発明は以上の如く構成されかつ作用するものであるから、歯科用練和物を歯型内面の最深部等目的とする箇所に少量ずつ、しかも歯型が十分満たされるまで連続して流し込むことができ、気泡を巻き込むおそれが少なくなり、万が一残存してしまった気泡に対しては柔軟性のチップを目的箇所に接触させるので、気泡を直接吊り上げるように歯型内面から引き離し、効果的な気泡の除去が可能となり、歯型面の変形や損傷を来たすおそれがない。特に本発明では振動発生機構を内蔵しない本体にあっても内蔵する本体の場合と同様、効率良く振動を貯溜部へ伝達することができ、振動が伝達されただけでは流出口が開かない流量可変構成を有することと相俟って、作業性を著しく良好なものとすることができる、という顕著な効果を奏する。
【図面の簡単な説明】
【図１】本発明に係る歯科用練和物の流し込み装置の実施例１及び実施例２とその変形例１、２、３を示す分解斜視図。
【図２】同上装置の縦断面図。
【図３】（ａ）常開の流出口の開閉説明図。
（ｂ）練和物の流動状態を示す説明図。
（ｃ）切り込み状流出口の開閉説明図。
（ｄ）練和物の流動状態を示す説明図。
【図４】（ａ）スリット状流出口の開閉説明図。
（ｂ）練和物の流動状態を示す説明図。
（ｃ）切り込み状と常開の流出口を組み合わせた流出口の開閉説明図。
（ｄ）練和物の流動状態を示す説明図。
【図５】（ａ）実施例２における使用状態の側面説明図。
（ｂ）同じく変形例１の側面説明図。
（ｃ）同じく変形例２の側面説明図。
（ｄ）同じく変形例３の側面説明図。
【図６】使用状態の１例を示す断面説明図。
【図７】（ａ）気泡残存部の１例を示す断面図。
（ｂ）気泡残存部の他の例を示す断面図。
【図８】使用状態の他の例を示す断面説明図。
【図９】（ａ）気泡を引き離す状態の断面説明図。
（ｂ）練和物の充填例を示す断面説明図。
【図１】
0004222681.tif 000002
【図２】
0004222681.tif 000003
【図３】
0004222681.tif 000004
【図４】
0004222681.tif 000005
【図５】
0004222681.tif 000006
【図６】
0004222681.tif 000007
【図７】
0004222681.tif 000008
【図８】
0004222681.tif 000009
【図９】
0004222681.tif 000010